(57)【特許請求の範囲】
【請求項１】
一枚の箱体形成片からなり、この箱体形成片には、互いに平行に連接された側面と、前記側面同士を糊付けする糊付片と、筒状に組み立てられた前記側面の開口を閉じる上蓋片と、前記側面のうち１つの側面に形成され前記側面の連接方向に沿う蓋部折曲線と、その他の前記側面に形成され前記蓋部折曲線と連続して筒状に組み立てられた前記側面を一周する開封用破断線が設けられ、前記開封用破断線を切断すると前記上蓋片と前記側面の前記開封用破断線よりも上方の部分からなる蓋部が形成され、前記蓋部折曲線を折り曲げて、蓋部を押し上げて開封する包装用箱において、
前記蓋部折曲線が設けられている前記側面と隣接する前記箱体形成片の他部分との境界に各々折罫線が設けられ、前記折罫線は前記箱体形成片の組立状態で稜線となり、いずれかの前記折罫線の途中には前記稜線を面取りした凹面部が形成され、前記蓋部折曲線が設けられている前記側面には、前記凹面部が形成されたことにより前記箱体形成片の組立状態で外側に膨らむ力が作用し、前記蓋部に対して閉じ状態を維持する抵抗力が生じることを特徴とする閉口維持機能付包装用箱。
【請求項２】
前記凹面部は、前記稜線の両側へ膨らむ一対の凹面部折曲線で囲まれて形成されている請求項１記載の閉口維持機能付包装用箱。
【請求項３】
前記蓋部折曲線は、円弧状の切断線が複数個所定間隔をあけて連続して設けられ、前記切断線は膨出する方向が前記蓋部折曲線の延出方向に対して交差する方向に膨出し、隣接する切断線どうしは、互いに反対側に交互に向いている請求項１記載の閉口維持機能付包装用箱。
【請求項４】
前記凹面部は、前記側面とその両側の側面との間の折罫線で作られる稜線であって、前記蓋部折曲線と直交する稜線上に設けられている請求項１記載の閉口維持機能付包装用箱。
【請求項５】
前記凹面部は、前記側面と前記上蓋片の間の折罫線で作られる稜線上に設けられている請求項１記載の閉口維持機能付包装用箱。
【請求項６】
前記凹面部は前記蓋部折曲線に設けられ、前記蓋部が開いたときに前記蓋部折曲線が折り曲げられて作られる稜線上に設けられる請求項１記載の閉口維持機能付包装用箱。
【発明の詳細な説明】
【技術分野】
【０００１】
この発明は、箱体側面に設けられた開封用破断線を切断して開封し、閉口状態を維持可能な閉口維持機能付包装用箱に関する。
【背景技術】
【０００２】
従来、商品を収容した包装用箱には、紙や合成樹脂で作られたブランクシートから一体的に打ち抜かれた箱体形成片で組み立てられたものがある。このような包装用箱は、互いに連接され筒状に組み立てられる４つの側面と、上方の開口を閉鎖する上蓋片と、下方の開口を閉鎖する底面が一体に設けられている。また、このような包装用箱の側面に開封用破断線が設けられたものがあり、開封用破断線を切断して開口部を形成し、この開口部から収容されている商品を容易に取り出すことができるようにしている。また、開封用破断線の一部を切り残し、切断した包装用箱の一部を蓋部として開口部の縁部に連結するものもある。
【０００３】
このような開口部の縁部に連結する蓋部は、一度開封すると包装用箱の連結する部分に折り目ができて開口した状態となり、内容物が残った時などにも蓋部を十分に閉口することができなかった。従来この問題点を解決するために、蓋部の仮止め機能用の部材を、紙面積を広げて付け加えたり、別部材を組み込んだりして仮止めするものがあった。
【０００４】
その他に蓋部を仮止めするものとして、特許文献１に開示された繋止蓋付き包装箱がある。この繋止蓋付き包装箱は、正面部と背面部、左右側面部、天面部、底面部との六面部から構成される箱体で、前記正面部の幅方向に第一開封ミシン線が設けられ、背面部には第一開封ミシン線の高さ位置より天面部寄りに位置する折線が設けられ、前記左右側面の幅方向に第一開封ミシン線と背面部の折線とに繋がる斜めの第二開封ミシン線が設けられている。そして、この第一開封ミシン線と第二開封ミシン線を分断することで開閉可能な蓋部が形成され、前記蓋部の正面下端または蓋部の一方の側面部に切り欠きによるロック片が設けられたものである。
【先行技術文献】
【特許文献】
【０００５】
【特許文献１】特開２００１−１９２０２２号公報
【発明の概要】
【発明が解決しようとする課題】
【０００６】
上記背景技術の場合、蓋部を開けた後、蓋部を手で戻して側面に係止しなければならず、操作が面倒であった。さらに、片方の手に取出した商品を持っている場合等においては、特に操作しづらいものであった。
【０００７】
この発明は、上記背景技術の問題点に鑑みてなされたものであり、側面に開封用破断線が設けられて開封しやすいものであり、開封用破断線により側面の一部が分割されて連続する蓋部が、閉鎖して閉口状態を維持することができる閉口機能付包装用箱を提供することを目的とする。
【課題を解決するための手段】
【０００８】
本発明は、一枚のブランクシートから一体的に打ち抜かれた箱体形成片からなり、この箱体形成片には、互いに平行に連接された側面と、前記側面同士を糊付けする糊付片と、筒状に組み立てられた前記側面の開口を閉じる上蓋片と、前記側面のうち１つの側面に形成され前記側面の連接方向に沿う蓋部折曲線と、その他の前記側面に形成され前記蓋部折曲線と連続して筒状に組み立てられた前記側面を一周する開封用破断線が設けられ、前記開封用破断線を切断すると前記上蓋片と前記側面の前記開封用破断線よりも上方の部分からなる蓋部が形成され、前記蓋部折曲線を折り曲げて、蓋部を押し上げて開封する包装用箱であって、前記蓋部折曲線が設けられている前記側面と隣接する前記箱体形成片の他部分との境界に各々折罫線が設けられ、前記折罫線は前記箱体形成片の組立状態で稜線となり、いずれかの前記折罫線の途中には前記稜線を面取りした凹面部が形成され、前記蓋部折曲線が設けられている前記側面には、前記凹面部が形成されたことにより前記箱体形成片の組立状態で外側に膨らむ力が作用し、前記蓋部に対して閉じ状態を維持する抵抗力が生じるようにした閉口維持機能付包装用箱である。前記凹面部は、前記稜線の両側へ膨らむ一対の凹面部折曲線で囲まれて形成されているものである。
【０００９】
前記蓋部折曲線は、円弧状の切断線が複数個所定間隔をあけて連続して設けられ、前記切断線は膨出する方向が前記蓋部折曲線の延出方向に対して交差する方向に膨出し、隣接する切断線どうしは、互いに反対側に交互に向いているものである。この切断線は、前記蓋部が閉じたときに、箱体形成片の厚み方向に端面がずれて摩擦力で係止され、前記蓋部の閉口状態を確実に維持する。前記切断線どうしの間に、前記蓋部折曲線の延出方向に沿う折罫線が設けられてもよい。
【００１０】
前記凹面部は、前記側面とその両側の側面との間の折罫線で作られる稜線であって、前記蓋部折曲線と直交する稜線上に設けられている。また、前記凹面部は、前記側面と前記上蓋片の間の折罫線で作られる稜線上に設けられているものである。
【００１１】
前記凹面部は前記蓋部折曲線に設けられ、前記蓋部が開いたときに前記蓋部折曲線が折り曲げられて作られる稜線上に設けられるものである。また、前記凹面部は、前記１つの稜線に複数個が設けられていても良い。
【発明の効果】
【００１２】
本発明の閉口維持機能付包装用箱は、側面に開封用破断線が設けられて開封しやすいものであり、蓋部折曲線を有する側面は、外側に膨らんで蓋部折曲線が曲げにくくなり、蓋部の閉口状態を維持することができる。この力に抗して前記蓋部折曲線を折り曲げて蓋部を開いたときは、蓋部に閉口する力が生じ手を離せば自然と閉口状態とすることができ、操作が簡単である。そして、この閉口維持機能付包装用箱に被収容物が残ったときには、再封可能であり不用意に開いて外に内容物が散らかることがなく、便利である。
【図面の簡単な説明】
【００１３】
【図１】この発明の第一実施形態の閉口維持機能付包装用箱の閉口状態を示す斜視図である。
【図２】この発明の第一実施形態の閉口維持機能付包装用箱の開口状態を示す斜視図である。
【図３】この発明の第一実施形態の閉口維持機能付包装用箱の閉口する操作を示す斜視図である。
【図４】この発明の第一実施形態の閉口維持機能付包装用箱の未開封の状態を示す斜視図である。
【図５】この発明の第一実施形態の閉口維持機能付包装用箱の展開図である。
【図６】この発明の第一実施形態の閉口維持機能付包装用箱の折り畳み状態を示す正面図である。
【図７】この発明の第一実施形態の閉口維持機能付包装用箱の変形例の展開図である。
【図８】この発明の第二実施形態の閉口維持機能付包装用箱の展開図である。
【図９】この発明の第三実施形態の閉口維持機能付包装用箱の展開図である。
【図１０】この発明の第四実施形態の閉口維持機能付包装用箱の展開図である。
【図１１】この発明の第五実施形態の閉口維持機能付包装用箱の展開図である。
【発明を実施するための形態】
【００１４】
以下、この発明の実施形態について図面に基づいて説明する。図１〜図６この発明の第一実施形態を示すもので、この実施形態の閉口維持機能付包装用箱１０は、紙製等の一枚のブランクシートを打ち抜いて形成された箱体形成片１２を組み立てて設けられている。
【００１５】
図５は箱体形成片１２を表面から見た展開図であり、箱体形成片１２は、側面１４，１６，１８，２０が互いに平行に連接して形成されている。側面１４，１６，１８，２０は、連接している幅方向は同じ長さであり、連接方向の長さは側面１４，１８が長くて互いにほぼ等しく、側面１６，２０は短くて互いにほぼ等しい。さらに側面１４の側縁部には、開口機能付包装用箱１０の組み立て状態で側面２０の裏面に糊付けされる糊付片２２が設けられている。糊付片２２、側面１４，１６，１８，２０は、各々折罫線２４，２６，２８，３０で区切られている。
【００１６】
側面１４において、側面どうしの連接方向に対して直角な方向の一端部には、内側上蓋片３２が、折罫線３４で区切られて設けられている。側面１４には、折罫線３４に近い位置に、折罫線３４に対してほぼ平行な蓋部折曲線３６が設けられている。蓋部折曲線３６は、円弧状の切断線３６ａが複数個所定間隔をあけて連続することにより形成されている。円弧状の切断線３６ａは膨出する方向が蓋部折曲線３６の延出方向に対して交差する方向に膨出し、隣接する切断線３６ａどうしは、互いに反対側に交互に向いている。糊付片２２との境目に設けられている折罫線２４は、箱体形成片１２を組み立てた状態で稜線となり、折罫線２４の途中には、稜線を面取りした凹面部３８が形成されている。凹面部３８は、折罫線３４に近い位置に設けられ、凹面部３８の内側には折罫線２４が設けられておらず中断されている。凹面部３８は、折罫線２４の両脇に、糊付片２２または側面１４へ膨らむ一対の円弧状の凹面部折曲線４０で囲まれて形成されている。側面１４の、折罫線３４と反対側の端部には、内側底蓋片４２が折罫線４４で区切られて設けられている。
【００１７】
側面１６の、側面１４の折罫線３４に隣接する端部には、台形状のフラップ４６が折罫線４８で区切られて設けられている。側面１６の、折罫線４８と反対側の端部には、台形状のフラップ５０が折罫線５２で区切られて設けられている。そして、側面１６には、側面１４の蓋部折曲線３６に連続する開封用破断線５４が設けられている。開封用破断線５４は、折罫線２６の蓋部折曲線３６に連続する位置から始まり、折罫線２８に達するとともに、開封用破断線５４は折罫線２８に近づくほどフラップ４６から離れる方向へ傾斜して設けられている。
【００１８】
側面１８の、側面１６の折罫線４８に隣接する端部には、内側上蓋片３２とほぼ同じ大きさの矩形の外側上蓋片５６が折罫線５８で区切られて設けられている。側面１８の折罫線５８と反対側の端部には、内側底蓋片４２とほぼ同じ大きさの矩形の外側底蓋片６０が折罫線６２で区切られて設けられている。さらに、側面１８には、側面１６の開封用破断線５４に連続する開封用破断線６４が設けられている。開封用破断線６４は、折罫線２８の開封用破断線５４に連続する位置から始まり折罫線３０に達し、開封用破断線６４は折罫線５８に対してほぼ平行に設けられている。
【００１９】
側面２０の、側面１８の折罫線５８に隣接する端部には、台形状のフラップ６６が折罫線６８で区切られて設けられている。側面２０の、折罫線６８と反対側の端部には、台形状のフラップ７０が折罫線７２で区切られて設けられている。そして、側面２０には、開封用破断線６４に連続する開封用破断線７４が設けられている。開封用破断線７４は、折罫線３０の開封用破断線６４に連続する位置から始まり折罫線３０と反対側の側縁部２０ａに達し、開封用破断線７４は側縁部２０ａに近づくほどフラップ６６に近づく方向へ傾斜している。つまり開封用破断線５４と対称形となっている。側縁部２０ａには、箱体形成片１２を組み立てた状態で凹面部３８に対向する位置に、凹面部折曲線４０に沿う形状の切欠部７６が形成されている。
【００２０】
糊付片２２には、側面１４の蓋部折曲線３６に連続する開封用破断線７８が設けられている。開封用破断線７８は、折罫線２４の蓋部折曲線３６に連続する位置から始まり折罫線２４と反対側の側縁部２２ａに達し、開封用破断線７８は側縁部２２ａに近づくほど内側上蓋片３２から離れる方向へ傾斜して設けられている。
【００２１】
次に、この実施形態の閉口維持機能付包装用箱１０の組立方法の一例について説明する。なお、ここでは図５が閉口維持機能付包装用箱１０の箱体形成片１２の表面を見たものであり箱体形成片１２の表面が凸になる折り方を正折り、そして裏面が凸になる折り方を逆折りと称する。
【００２２】
まず、折罫線２６を正折りして糊付片２２の表面に糊８０を塗布する。次に、折罫線３０を正折りして側面２０の裏面が糊８０により糊付片２２の表面に糊付けされ、図６に示す折り畳み状態となり、この状態で出荷される。次に商品を収容し包装する工場において、折罫線２４，２６，２８，３０を各々９０°に正折りして四角形の箱体にする。このとき、一対の凹面部折曲線４０も９０度より大きな角度に正折りされ、一対の凹面部折曲線４０の内側の凹面部３８は、折罫線２４が正折りされて作られた稜線を面取りするように位置する。次に、内側底蓋片４２の表面に糊８２を塗布し、折罫線５２，７２でフラップ５０，７０を９０°に正折りし、その後折罫線４４で内側底蓋片４２を９０°に正折りし、さらに折罫線６２で外側底蓋片６０を９０°に正折りして外側底蓋片６０の裏面が糊８２により内側底蓋片４２の表面に糊付けされ、底部が形成される。
【００２３】
この後、組み立てられた箱体の中に商品を入れ、内側上蓋片３２の表面に糊８４を塗布し、折罫線４８，６８でフラップ４６，６６を９０°に正折りし、その後折罫線３４で内側上蓋片３２を９０°に正折りし、さらに折罫線５８で外側上蓋片５６を９０°に正折りして外側上蓋片５６の裏面が糊８４により内側上蓋片３２の表面に糊付けされ、上面が形成される。閉口維持機能付包装用箱１０は、組み立て状態で側面１４が、凹面部３８の影響によりわずかに外側に膨らんでいる。凹面部３８には側面２０が重ねられるが、側面２０の切欠部７６が対面し、側面２０で覆われることがなく露出する。なお、箱体形成片１２を組み立てる順番はこれ以外でもよく、適宜変更可能である。
【００２４】
次に、この実施形態の開口機能付包装用箱１０の開封方法について説明する。側面１８の開封用破断線６４の下側または上側のいずれかの位置を指で押し込み、側面１８を変形させて開封用破断線６４を切断する。切断した開封用破断線６４の上縁部を指で上方に移動させると、開封用破断線５４，７４，７８が切断されて、側面１６，１８，２０、糊付片２２が分割され、開封される。閉口維持機能付包装用箱１０は分割されて、内側上蓋片３２と外側上蓋片５６と、側面１６，１８，２０の分割された上部分が蓋部８６となり、側面１４の蓋部折曲線３６を逆折りして開く。側面１４は、凹面部３８の影響によりわずかに外側に膨らんでいるため、蓋部折曲線３６が逆折りしにくいものとなる。側面１４が外側に膨らむ力に抗して蓋部折曲線３６を逆折りして蓋部８６を開いたときは、蓋部８６を閉じる方向の力が生じるものである。また、蓋部折曲線３６を逆折りすると、切断線３６ａの上側と下側の両側縁部が移動して互いに離れる。
【００２５】
蓋部８６を閉じるときは、図３に示すように側面１４の両脇の折罫線２４，２６を挟んで保持し、指で折罫線２４の凹面部３８を押し込む。すると、側面１４に外側に膨らむ力が強くかかり、蓋部折曲線３６は逆折りが復元されて平坦になり、蓋部８６は元の位置にもどり閉口する。蓋部折曲線３６の逆折りが復元されて平坦になると、切断線３６ａの上側と下側の両側の側縁部が互いに嵌合され、ブランクシートの厚みである端面どうしが摩擦で係止される。なお、凹面部３８を指で押さなくても、蓋部８６を閉める方向に少し押すだけでも自動的に閉じる。そして、側面１４が外側に膨らんでいるため、蓋部８６には常に閉口した状態を維持する力が加えられる。
【００２６】
この実施形態の閉口維持機能付包装用箱１０によれば、以下のような作用効果を奏する。まず、簡単な構造で蓋部８６を閉口させた状態で維持し、収容された商品が残ったときには、確実に再封することができる。各側面１６，１８，２０には開封用破断線５４，６４，７４が設けられ、容易に開封することができる。そして、この閉口維持機能付包装用箱１０は、側面１４が外側に膨らんで蓋部折曲線３６を逆折りしにくいものとなり、蓋部８６の閉口を維持することができる。また、側面１４が外側に膨らむ力に抗して蓋部折曲線３６を折り曲げて蓋部８６を開いたときは、蓋部８６を閉じる力が生じ手を離せば自然と閉じ、閉口操作が容易であり、凹面部３８を押すと、よりすばやく閉めることができる。さらに、確実に蓋部８６の閉口状態を維持するため、商品の使い残しを再封することが可能であり、便利である。閉口維持機能付包装用箱１０は未開封の状態で開口部や凹凸がないため、仕上がりの体裁を損なうことがなく、すっきりとした外観となる。また、輸送時にコンパクトで便利であり、また箱強度が維持されているため破損を抑えることができる。
【００２７】
なお、この実施形態の閉口維持機能付包装用箱１０は、図７に示すように蓋部折曲線３６の切断線３６ａどうしの間に、蓋部折曲線３６の延出方向に沿う折罫線３７が設けられてもよい。これにより、弱い力でも蓋部８６を開けることができる。
【００２８】
次にこの発明の第二実施形態について、図８に基づいて説明する。なお、ここで、上記実施形態と同様の部材は同様の符号を付して説明を省略する。この実施形態の閉口維持機能付包装用箱８８は、側面１４の折罫線３４に近い位置に、折罫線３４に対してほぼ平行な蓋部折曲線９０が設けられている。蓋部折曲線９０は直線であり、折り曲げやすいように切断線が４か所に設けられている。
【００２９】
この実施形態の閉口維持機能付包装用箱８８の組立方法と開封方法は、前記実施形態と同様であり、同様の効果を有している。蓋部折曲線９０が直線であり、構造がシンプルとなり、外観がすっきりとするため、側面１４に自由なデザインの印刷等をすることができる。
【００３０】
次にこの発明の第三実施形態について、図９に基づいて説明する。なお、ここで、上記実施形態と同様の部材は同様の符号を付して説明を省略する。この実施形態の閉口維持機能付包装用箱９２は、側面１４の折罫線３４に近い位置に、折罫線３４に対してほぼ平行な蓋部折曲線９４が設けられている。蓋部折曲線９４は直線であり、蓋部折曲線９４の中心には凹面部９６が設けられている。凹面部９６は、蓋部折曲線９４の両脇に膨らむ円弧状の一対の凹面部折曲線９８で囲まれて形成されている。蓋部折曲線９４と凹面部折曲線９８には、折り曲げやすいように切断線が部分的に設けられている。
【００３１】
この実施形態の閉口維持機能付包装用箱９２の組立方法と開封方法は、前記実施形態と同様であり、同様の効果を有している。蓋部折曲線９０に凹面部９６が設けられているため、蓋部折曲線９０を逆折りして稜線となった時に蓋部８６を閉じる力が働き、確実に閉口状態を維持することができる。
【００３２】
次にこの発明の第四実施形態について、図１０に基づいて説明する。なお、ここで、上記実施形態と同様の部材は同様の符号を付して説明を省略する。この実施形態の閉口維持機能付包装用箱１００は、側面１４と内側上蓋片３２の間に位置する折罫線３４に、凹面部１０２が２つ設けられている。凹面部１０２は、折罫線３４の両脇に膨らむ円弧状の一対の凹面部折曲線１０４で囲まれて形成されている。外側上蓋片５６には、折罫線５８と反対側の端面に、凹面部１０２に対向する切欠部１０５が形成されている。
【００３３】
この実施形態の閉口維持機能付包装用箱１００の組立方法と開封方法は、前記実施形態と同様であり、同様の効果を有している。折罫線３４に凹面部１０２が２つ設けられているため、側面１４が確実に外側に膨出し、蓋部折曲線３６を逆折りしにくくする力が働き、確実に閉口状態を維持することができる。
【００３４】
次にこの発明の第五実施形態について、図１１に基づいて説明する。なお、ここで、上記実施形態と同様の部材は同様の符号を付して説明を省略する。この実施形態の閉口維持機能付包装用箱１０６は、側面１４と内側上蓋片３２の間に位置する折罫線３４の中心に、凹面部１０８が１つ設けられている。凹面部１０８は、折罫線３４に沿って長細く形成され、折罫線３４の両脇に膨らむ円弧状の一対の凹面部折曲線１１０で囲まれて形成されている。外側上蓋片５６には、折罫線５８と反対側の端面に、凹面部１０８に対向する切欠部１１２が形成されている。
【００３５】
この実施形態の閉口維持機能付包装用箱１００の組立方法と開封方法は、前記実施形態と同様であり、同様の効果を有している。折罫線３４に長細くて面積が大きい凹面部１０８が設けられているため、側面１４が確実に外側に膨出し、蓋部折曲線３６を逆折りしにくくする力が確実に働き、確実に閉口状態を維持することができる。
【００３６】
なお、この発明の閉口維持機能付包装用箱は、上記各実施形態に限定されるものではなく、各部材の形状は、自由に変更可能である。箱体の形状は収容される商品に合わせて変更可能であり、底部の構造は、ワンタッチで組み立てられるもの等でもよい。蓋部折曲線の切断線の形状も、蓋部折曲線に沿って折り曲げ可能なものであれば自由に変更することができる。
【符号の説明】
【００３７】
１０  閉口維持機能付包装用箱
１２  箱体形成片
１４，１６，１８，２０  側面
２２  糊付片
２４，３０，３４  折罫線
３２  内側上蓋片
３６  蓋部折曲線
３６ａ  切断線
３８  凹面部
４０  凹面部折曲線
５４，６４，７４  開封用破断線
５６  外側上蓋片
７６  切欠部
８６  蓋部
【図１】
0005464920.tif 000002
【図２】
0005464920.tif 000003
【図３】
0005464920.tif 000004
【図４】
0005464920.tif 000005
【図５】
0005464920.tif 000006
【図６】
0005464920.tif 000007
【図７】
0005464920.tif 000008
【図８】
0005464920.tif 000009
【図９】
0005464920.tif 000010
【図１０】
0005464920.tif 000011
【図１１】
0005464920.tif 000012